(57)【要約】【課題】使用するレーザ光束の波長が実質的に同じである複数種類の情報記録媒体のそれぞれの好適な再生が可能であると共に、それらのうちの少なくともひとつに対して好適に情報の記録が可能な対物光学系を提供する。【解決手段】対物光学系１０は、レーザ光束Ｌを少なくとも０次回折光と１次回折光とに分離する回折面１５を備えている。対物光学系１０は、第１の情報記録媒体２０ａの情報記録面２２ａ上には０次回折光が集光される一方、第２の情報記録媒体２０ｂの情報記録面２２ｂ上には１次回折光が集光され、下記条件式（１）を満たすように構成されている。    η０＞η１      ・・・・・（１）  但し、η０：０次回折光の回折効率、η１：１次回折光の回折効率、である。【選択図】図１
2008004241.tif 000002
【特許請求の範囲】
【請求項１】
各々、情報記録面と、該情報記録面を被覆する保護層とを有し、該情報記録面に対応したレーザ光束の波長が実質的に等しい一方，上記保護層の厚みが相互に異なる第１の情報記録媒体及び第２の情報記録媒体のそれぞれの情報記録面上にレーザ光束を集光させて上記第１の情報記録媒体への記録／再生並びに上記第２情報記録媒体の再生を行う光ピックアップ装置において、上記情報記録面上に上記レーザ光束を集光するために使用される対物光学系であって、
上記レーザ光束を少なくとも０次回折光と１次回折光とに分離する回折面を備え、上記第１の情報記録媒体の情報記録面上には上記０次回折光が集光される一方、上記第２の情報記録媒体の情報記録面上には上記１次回折光が集光され、且つ下記条件式（１）を満たすように構成されている対物光学系；
η０＞η１      ・・・・・（１）
但し、
η０：０次回折光の回折効率、
η１：１次回折光の回折効率、
である。
【請求項２】
請求項１に記載された対物光学系において、
下記条件式（１−ａ）を満たすように構成されている対物光学系；
η０＞＞η１      ・・・・・（１−ａ）
但し、
η０：０次回折光の回折効率、
η１：１次回折光の回折効率、
である。
【請求項３】
請求項１に記載された対物光学系において、
下記条件式（２）を常に満たすように構成されている対物光学系；
η０＞ηｍ      ・・・・・（２）
但し、
η０：０次回折光の回折効率、
ηｍ：回折面において上記レーザ光束から分離されたｍ次回折光の回折効率（但し、ｍは０以外の整数）、
である。
【請求項４】
請求項１に記載された対物光学系において、
下記条件式（２−ａ）を常に満たすように構成されている対物光学系；
η０＞＞ηｍ      ・・・・・（２−ａ）
但し、
η０：０次回折光の回折効率、
ηｍ：回折面において上記レーザ光束から分離されたｍ次回折光の回折効率（但し、ｍは０以外の整数）、
である。
【請求項５】
請求項１に記載された対物光学系において、
下記条件式（３）及び（４）を満たすように構成されている対物光学系；
η０＞６０％      ・・・・・（３）
η１＞１０％      ・・・・・（４）
但し、
η０：０次回折光の回折効率、
η１：１次回折光の回折効率、
である。
【請求項６】
請求項１に記載された対物光学系において、
上記回折面において上記レーザ光束から分離された２次回折光の回折効率が１％未満である対物光学系。
【請求項７】
請求項１に記載された対物光学系において、
下記条件式（５）を満たすように構成されている対物光学系；
２×（η１×η−１）／（η０２）＜０．１５      ・・・・・（５）
但し、
η０：０次回折光の回折効率、
η１：１次回折光の回折効率、
η−１：回折面において上記レーザ光束から分離された−１次回折光の回折効率、
である。
【請求項８】
請求項１に記載された対物光学系において、
上記回折面は下記条件式（６）を満たすように構成されている対物光学系；
２×（η０×η２）／（η１２）＜０．１５      ・・・・・（６）
但し、
η０：０次回折光の回折効率、
η１：１次回折光の回折効率、
η２：回折面において上記レーザ光束から分離された２次回折光の回折効率、
である。
【請求項９】
請求項１に記載された対物光学系において、
上記光ピックアップ装置は、上記第１及び第２の情報記録媒体とは上記情報記録面に対応するレーザ光束の波長及び／又は上記保護層の層厚が異なる更なる情報記録媒体の再生が可能に構成されている対物光学系。
【請求項１０】
請求項９に記載された対物光学系において、
上記更なる情報記録媒体の情報記録面に対応したレーザ光束の波長は上記第１及び第２の情報記録媒体の情報記録面に対応したレーザ光束の波長よりも長く、
上記更なる情報記録媒体の情報記録面上に当該情報記録面対応した波長のレーザ光束の０次回折光が集光され、且つ下記条件式（７）を満たすように構成されている対物光学系；
γ＞８５％      ・・・・・（７）
但し、
γ：回折面において更なる情報記録媒体の情報記録面に対応したレーザ光束から分離された０次回折光の回折効率、
である。
【請求項１１】
請求項９に記載された対物光学系において、
上記更なる情報記録媒体の情報記録面に対応したレーザ光束の波長は上記第１及び第２の情報記録媒体の情報記録面に対応したレーザ光束の波長よりも長く、
上記更なる情報記録媒体の情報記録面上に当該情報記録面対応した波長のレーザ光束の０次回折光が集光され、且つ下記条件式（８）を満たすように構成されている対物光学系；
γ＞η０      ・・・・・（８）
但し、
γ：回折面において更なる情報記録媒体の情報記録面に対応したレーザ光束から分離された０次回折光の回折効率、
η０：回折面において第１及び第２の情報記録媒体の情報記録面に対応したレーザ光束から分離された０次回折光の回折効率、
である。
【請求項１２】
請求項１に記載された対物光学系において、
上記回折面は、頂角が鈍角である略三角形状の断面を有する輪帯状の凸部が複数同心円状に周期的に配列されてなるものである対物光学系。
【請求項１３】
請求項１２に記載された対物光学系において、
上記回折面が形成された回折素子を備え、
上記回折面は、５５≦ｘ≦６０のときに条件式（９）を満たし、６０≦ｘ≦６５のときに条件式（１０）を満たし、６５≦ｘ≦７７のときに条件式（１１）を満たすように構成されている対物光学系；
０．２６≦ｙ≦０．３５                      ・・・・・（９）
−０．００２ｘ＋０．３８≦ｙ≦０．３５      ・・・・・（１０）
０．２５≦ｙ≦０．３５                      ・・・・・（１１）
但し、
ｘ：回折面が負の光学的パワーを有するものである場合、回折面の光軸を含む断面における，上記凸部のピッチに対する該凸部の該光軸に最も近接した部位から該凸部の頂点までの距離の比率であり、一方、回折面が正の光学的パワーを有するものである場合、回折面の光軸を含む断面における，上記凸部のピッチに対する該凸部の該光軸に最も遠い部位から該凸部の頂点までの距離の比率、
ｙ：下記式（１２）で与えられる；
ｙ＝ｈ／｛λ／（ｎ−１）｝                  ・・・・・（１２）
但し、
ｈ：凸部の高さ、
λ：レーザ光束の波長、
ｎ：レーザ光束の波長における回折素子の屈折率、
である。
【請求項１４】
請求項１２に記載された対物光学系において、
上記回折面が形成された回折素子を備え、
上記回折面は、５８≦ｘ≦６０のときに条件式（１３）を満たし、６０≦ｘ≦６５のときに条件式（１４）を満たし、６５≦ｘ≦７０のときに条件式（１５）を満たし、７０≦ｘ≦７２のときに条件式（１６）を満たし、７２≦ｘ≦７５のときに条件式（１７）を満たし、７５≦ｘ≦７７のときに条件式（１８）を満たすように構成されている対物光学系；
０．２４≦ｙ≦０．０３５ｘ−１．７３                      ・・・・・（１３）
０．２４≦ｙ≦０．３７                                    ・・・・・（１４）
（０．０３／５）ｘ−０．１５≦ｙ≦０．００２ｘ＋０．２４  ・・・・・（１５）
０．０１ｘ−０．４３≦ｙ≦０．３８                        ・・・・・（１６）
（０．０４／３）ｘ−０．６７≦ｙ≦０．３８                ・・・・・（１７）
０．０１ｘ−０．４２≦ｙ≦０．３８                        ・・・・・（１８）
但し、
ｘ：回折面が負の光学的パワーを有するものである場合、回折面の光軸を含む断面における，上記凸部のピッチに対する該凸部の該光軸に最も近接した部位から該凸部の頂点までの距離の比率であり、一方、回折面が正の光学的パワーを有するものである場合、回折面の光軸を含む断面における，上記凸部のピッチに対する該凸部の該光軸に最も遠い部位から該凸部の頂点までの距離の比率、
ｙ：下記式（１２）で与えられる；
ｙ＝ｈ／｛λ／（ｎ−１）｝                  ・・・・・（１２）
但し、
ｈ：凸部の高さ、
λ：レーザ光束の波長、
ｎ：レーザ光束の波長における回折素子の屈折率、
である。
【請求項１５】
請求項１に記載された対物光学系において、
上記回折面を備えた回折素子と、
上記回折素子により回折されたレーザ光束を上記情報記録面上に集光する対物レンズと、
を備えた対物光学系。
【請求項１６】
請求項１に記載された対物光学系において、
上記回折面を有し、上記レーザ光束を上記情報記録面上に集光する対物レンズを備えた対物光学系。
【請求項１７】
第１の情報記録面と、該第１の情報記録面を被覆する第１の保護層とを有する第１の情報記録媒体への記録／再生、並びに上記第１の情報記録面と対応したレーザ光束の波長が実質的に同じである第２の情報記録面と、該第２の情報記録面を被覆し、上記第１の保護層とは層厚が異なる第２の保護層とを備えた第２の情報記録媒体の再生を行うための光ピックアップ装置であって、
上記第１及び第２の情報記録面に対応した波長のレーザ光束を射出する第１の光源と、
上記第１及び第２の情報記録面のそれぞれの上に上記レーザ光束を集光する第１の対物光学系と、
上記第１又は第２の情報記録面における上記レーザ光束の反射光束を検出する第１の検出器と、
を備え、
上記第１の対物光学系は、上記第１の光源から射出されたレーザ光束を少なくとも０次回折光と１次回折光とに分離する回折面を有し、上記第１の情報記録媒体の情報記録面上には上記０次回折光が集光される一方、上記第２の情報記録媒体の情報記録面上には上記１次回折光が集光され、且つ下記条件式（１）を満たすように構成されている光ピックアップ装置；
η０＞η１      ・・・・・（１）
但し、
η０：０次回折光の回折効率、
η１：１次回折光の回折効率、
である。
【請求項１８】
請求項１７に記載された光ピックアップ装置において、
上記第１の光源から射出されるレーザ光束の波長とは異なる波長のレーザ光束を上記第１の対物光学系に対して射出する第２の光源を備え、
上記第１の対物光学系は、上記第２の光源が射出するレーザ光束の波長に対応した第３の情報記録面と、該第３の情報記録面を被覆する第３の保護層とを備えた第３の情報記録媒体の第３の情報記録面上に上記第２の光源から射出されたレーザ光束が集光されるように構成されている光ピックアップ装置。
【請求項１９】
請求項１８に記載された光ピックアップ装置において、
上記第２の光源から射出されるレーザ光束は上記第１及び第２の情報記録面に対応したレーザ光束の波長よりも長く、上記回折面は上記第２の光源から射出されるレーザ光束を実質的に回折させないように構成されている光ピックアップ装置。
【請求項２０】
請求項１７に記載された光ピックアップ装置において、
上記第１の光源から射出されるレーザ光束の波長とは異なる波長のレーザ光束を射出する第２の光源と、
上記第２の光源から射出されたレーザ光束を、該第２の光源が射出するレーザ光束の波長に対応した第３の情報記録面と、該第３の情報記録面を被覆する第３の保護層とを備えた第３の情報記録媒体の第３の情報記録面上に上記第２の光源から射出されたレーザ光束を集光する第２の対物光学系と、
を備えた光ピックアップ装置。
【請求項２１】
請求項２０に記載された光ピックアップ装置において、
上記第１及び第２の光源のそれぞれから射出されるレーザ光束の波長とは異なるレーザ光束を射出する第３の光源を備え、
上記第２の対物光学系は、上記第３の光源が射出するレーザ光束の波長に対応した第４の情報記録面と、該第４の情報記録面を被覆する第４の保護層とを備えた第４の情報記録媒体の第４の情報記録面上に上記第３の光源から射出されたレーザ光束が集光されるように構成されている光ピックアップ装置。
【発明の詳細な説明】
【技術分野】
【０００１】
本発明は対物光学系及びそれを備えた光ピックアップ装置に関する。
【背景技術】
【０００２】
従来、新たな情報記録媒体として、高記録密度で大容量な光ディスクが提案されている。光ディスクには複数の規格が現存し、光ディスクの規格ごとに保護層の厚み（基板厚ともいう）や、使用するレーザ光束の波長、レーザ光束を集光するために使用する対物光学系の開口数（ＮＡ）等が異なっている。このため、例えばある種の光ディスクを再生するために専用設計された光ピックアップ装置（光ディスク装置）では、通常、その他の種類の光ディスクを好適に再生することができない。そこで、複数規格の光ディスクの再生や記録（書き込み）を可能にせしめる所謂互換技術の開発が進められている。
【０００３】
例えば、特許文献１には、保護層の厚みが相互に異なる２種の光ディスクの情報記録面に対してそれぞれ異なる次数の回折光が集光されるように構成した，回折面を用いた対物光学系が開示されている。また、特許文献２には、上記特許文献１に記載の対物光学系における最適な各回折次数の回折光の回折効率が開示されている。詳細には、各種光ディスクの記録／再生に使用する０次及び１次回折光の回折効率が３０％以上となり、且つ光ディスクの記録／再生に使用しない不要な＋２次回折光及び−１次回折光のいずれか一方の回折効率が２％以下となるようにホログラムを設計することが開示されている。
【０００４】
また、他の互換技術として、屈折率の波長依存性を有する光学素子を用いて、相互に波長の異なるレーザ光束の集光位置を相互に異ならしめる技術も提案されている。
【特許文献１】特開平７−９８４３１
【特許文献２】特開平１０−１０３０８
【発明の開示】
【発明が解決しようとする課題】
【０００５】
例えば、使用するレーザ光束の波長が光ディスクごとに相互に異なる場合は、屈折率の波長依存性を有する光学素子を用いて複数種類の光ディスクの記録や再生を可能にすることが考えられる。しかしながら、使用するレーザ光の波長が実質的に同じである場合は、たとえ屈折率の波長依存性を有する光学素子を用いたとしてもレーザ光束の集光位置を調整することができない。このため、使用するレーザ光束の波長が実質的に同じである複数種類の光ディスクの記録や再生を実現することができない。
【０００６】
一方、特許文献１や２に記載された互換技術は使用するレーザ光束の波長が実質的に同じ場合でも適用することができる。しかしながら、特許文献２に記載のように、光ディスクの記録／再生に使用する０次及び１次回折光の回折効率が３０％以上となり、且つ光ディスクの記録／再生に使用しない不要な＋２次回折光及び−１次回折光のいずれか一方の回折効率が２％以下となるようにホログラムを設計した場合、光ディスクの情報記録面上に集光されるレーザ光束の光量が不足して光ディスクへの記録（書き込み）が好適に行えない虞がある。
【０００７】
すなわち、特許文献１や２に開示された対物光学系や光ピックアップ装置では、使用するレーザ光束の波長が実質的に同じである複数種類の情報記録媒体のそれぞれの再生を好適に行えるものの、情報の記録を好適に行えない虞があるという問題がある。
【０００８】
本発明は斯かる点に鑑みてなされたものであり、その目的とするところは、使用するレーザ光束の波長が実質的に同じである複数種類の情報記録媒体のそれぞれの好適な再生が可能であると共に、それらのうちの少なくともひとつに対して好適に情報の記録が可能な対物光学系を提供することにある。
【課題を解決するための手段】
【０００９】
上記目的を達成するために、本発明に係る対物光学系は、各々、情報記録面と、情報記録面を被覆する保護層とを有し、情報記録面に対応したレーザ光束の波長が実質的に等しい一方，保護層の厚みが相互に異なる第１の情報記録媒体及び第２の情報記録媒体のそれぞれの情報記録面上にレーザ光束を集光させて第１の情報記録媒体への記録／再生並びに第２情報記録媒体の再生を行う光ピックアップ装置において、情報記録面上にレーザ光束を集光するために使用される対物光学系であって、レーザ光束を少なくとも０次回折光と１次回折光とに分離する回折面を備え、第１の情報記録媒体の情報記録面上には０次回折光が集光される一方、第２の情報記録媒体の情報記録面上には１次回折光が集光され、且つ下記条件式（１）を満たすように構成されていることを特徴とする。
【００１０】
η０＞η１      ・・・・・（１）
但し、
η０：０次回折光の回折効率、
η１：１次回折光の回折効率、
である。
【００１１】
また、本発明に係る光ピックアップ装置は、第１の情報記録面と、第１の情報記録面を被覆する第１の保護層とを有する第１の情報記録媒体への記録／再生、並びに第１の情報記録面と対応したレーザ光束の波長が実質的に同じである第２の情報記録面と、第２の情報記録面を被覆し、第１の保護層とは層厚が異なる第２の保護層とを備えた第２の情報記録媒体の再生を行うための光ピックアップ装置であって、第１及び第２の情報記録面に対応した波長のレーザ光束を射出する第１の光源と、第１及び第２の情報記録面のそれぞれの上にレーザ光束を集光する第１の対物光学系と、第１又は第２の情報記録面におけるレーザ光束の反射光束を検出する第１の検出器とを備え、第１の対物光学系は、第１の光源から射出されたレーザ光束を少なくとも０次回折光と１次回折光とに分離する回折面を有し、第１の情報記録媒体の情報記録面上には０次回折光が集光される一方、第２の情報記録媒体の情報記録面上には１次回折光が集光され、且つ下記条件式（１）を満たすように構成されていることを特徴とする。
【００１２】
η０＞η１      ・・・・・（１）
但し、
η０：０次回折光の回折効率、
η１：１次回折光の回折効率、
である。
【発明の効果】
【００１３】
本発明によれば、使用するレーザ光束の波長が実質的に同じである複数種類の情報記録媒体のそれぞれの好適な再生が可能であると共に、それらのうちの少なくともひとつに対して好適に情報の記録が可能となる。
【発明を実施するための最良の形態】
【００１４】
以下、本発明の実施形態について、図面を参照しながら詳細に説明する。
【００１５】
（実施形態１）
図１は本実施形態１に係る光ピックアップ装置１の要部の構成を表す図である。
【００１６】
図２は対物光学系１０近傍の構成を表す拡大図である。
【００１７】
図３は回折素子１１の一部を切り欠いた部分断面図である。
【００１８】
図４は回折素子１１の一部を拡大した断面図である。
【００１９】
本実施形態１に係る光ピックアップ装置１は、例えば、光ディスク等の情報記録媒体２０の情報記録面２２にレーザ光束を集光させて情報記録媒体２０への情報の記録／再生を行うための装置である。詳細には、情報記録面２２に対応したレーザ光束の波長が実質的に等しい一方、保護層２１の厚みが相互に異なる第１の情報記録媒体２０ａ及び第２の情報記録媒体２０ｂのそれぞれの情報記録面２２ａ、２２ｂにレーザ光束を集光させて第１の情報記録媒体２０ａへの情報の記録／再生並びに第２の情報記録媒体２０ｂの再生を行うための装置である。
【００２０】
本実施形態では、第１の情報記録媒体２０ａの保護層２１ａの厚みよりも第２の情報記録媒体２０ｂの保護層２１ｂの厚みの方が厚いものとして説明するが、本発明は特にこの構成に限定されるものではない。
【００２１】
尚、第１の情報記録媒体２０ａと第２の情報記録媒体２０ｂの組み合わせは特に限定されるものではないが、例えば、第１の情報記録媒体２０ａをＢｌｕ−Ｒａｙ  Ｄｉｓｃ（以下、ＢＤと略。登録商標、対応するレーザ光束の波長：４００〜４１５ｎｍ、保護層２１の層厚：０．１ｍｍ）とし、第２の情報記録媒体２０ｂをＨｉｇｈ  Ｄｅｆｉｎｉｔｉｏｎ  Ｄｉｇｉｔａｌ  Ｖｅｒｓａｔｉｌｅ  Ｄｉｓｃ（以下、ＨＤ−ＤＶＤと略。登録商標、対応するレーザ光束の波長：４００〜４１５ｎｍ、保護層２１の層厚：０．６ｍｍ）とすることができる。
【００２２】
光ピックアップ装置１は、光軸ＡＸ上にこの順で配置された，第１の光源３１ａと、コリメートレンズ３２ａと、ビームスプリッタ３３ａと、立ち上げミラー３４と、対物光学系１０と、検出光学系３７ａと、受光素子３８ａとを備えている。光ピックアップ装置１は、さらに、アクチュエータ３５と、制御部３６と、信号処理部３９ａとを備えている。
【００２３】
第１の光源３１ａは情報記録面２２ａ、２２ｂに対応した波長のレーザ光束Ｌを射出するものである。例えば、第１の情報記録媒体２０ａがＢＤで第２の情報記録媒体２０ｂがＨＤ−ＤＶＤであるような場合は、光源３１から射出されるレーザ光束Ｌの波長を４０８ｎｍ程度とすることができる。尚、第１の光源３１ａは、例えば、半導体レーザ光源により構成することができる。
【００２４】
第１の光源３１ａから射出されたレーザ光束Ｌは、コリメートレンズ３２ａによって略平行光束に変換される。略平行光束に変換されたレーザ光束Ｌは、ビームスプリッタ３３ａを透過して、立ち上げミラー３４の立ち上げ反射面３４ａにより対物光学系１０に導かれる。
【００２５】
対物光学系１０は、レーザ光束Ｌを集光するためのものである。この対物光学系１０によって第１及び第２の情報記録媒体２０ａ、２０ｂのそれぞれの情報記録面２２ａ、２２ｂ上にレーザ光束Ｌが集光される。ここで、情報記録面２２には、記録された情報に応じて周回方向に多数配列されたピット（図示せず）が設けられている。そして、レーザ光束Ｌがピットの存在しない部分に集光された場合は、情報記録面２２において反射されて、ほぼすべての反射光束が対物光学系１０に入射することとなる。一方、レーザ光束Ｌがピットの存在する部分に集光された場合は、情報記録面２２において乱反射される。このため、対物光学系１０に入射する反射光束の光量は、ピットの存在しない部分で反射された場合と比較して小さくなる。
【００２６】
情報記録面２２上におけるレーザ光束Ｌの反射光束は、対物光学系１０により再び略平行光束に変換される。略平行光束に変換された反射光束は立ち上げミラー３４の反射面３４ａにより反射されてビームスプリッタ３３ａへと導かれる。そして、反射光束は、ビームスプリッタ３３ａ内に設けられた反射面により反射された後、検出光学系３７ａにより受光素子３８ａに集光される。そして、受光素子３８ａから集光された反射光束の光量に応じた電気信号が信号処理部３９に出力される。すなわち、レーザ光束が集光された部位におけるピットの存否が検出され、その検出結果に応じた電気信号が信号処理部３９に出力される。このようにして、情報記録面２２に記録された情報を読み出し可能に構成されている。
【００２７】
一方、第１の情報記録媒体２０ａの情報記録面２２ａに情報を記録する場合は、記録する情報に応じたレーザ光束Ｌが第１の光源３１ａから射出される。そして再生する場合と同様に、射出されたレーザ光束Ｌが情報記録面２２上に集光され、例えば、所定以上の強さの光量のレーザ光束Ｌが照射された箇所のみ情報記録面２２を変性させてピットを形成することにより情報を記録可能に構成されている。
【００２８】
以下、本実施形態１における情報記録面２２上へのレーザ光束Ｌの集光についてさらに詳細に説明する。
【００２９】
対物光学系１０は、例えば樹脂製の回折素子１１と、例えば両レンズ面が光軸ＡＸに対して略回転対称非球面である対物レンズ１２と、回折素子１１及び対物レンズ１２を固定するためのレンズフォルダ１３とを備えている。尚、レンズフォルダ１３はレンズフォルダ１３を駆動させるアクチュエータ３５に接続されている。アクチュエータ３５は、アクチュエータ３５を制御する制御部３６に接続されておいる。これらアクチュエータ３５及び制御部３６によってレンズフォルダ１３に固定された回折素子１１及び対物レンズ１２が一体としてフォーカス方向及び／又はトラッキング方向に駆動される。
【００３０】
回折素子１１は、図３に示すように、平行平板状の素子である。回折素子１１の一方の表面１１ａの一部には、平面視において略円形状の回折面１５が形成されている。この回折面１５の径は、回折素子１１に入射するレーザ光束Ｌの径よりも小さく設定されている。
【００３１】
回折素子１１に入射したレーザ光束Ｌは、回折素子１１の回折面１５でもって、少なくとも０次回折光（０次の回折光）と１次回折光（１次の回折光）とを含む複数種類の回折次数の回折光に分離される。
【００３２】
ここで０次回折光とは回折されない光のことである。このため、レーザ光束が０次回折された場合、実質上は回折素子１１がない場合と同様のレーザ光束Ｌが回折素子１１から射出されることとなる。よって、回折面１５からの出射光と回折面１５より外側の部分からの出射光とが同様に対物レンズ１２に入射することとなる。すなわち、回折素子１１に入射する平行光束がそのまま回折素子１１から射出されることとなる。
【００３３】
ここで、対物レンズ１２は、この平行光束が入射した場合のＮＡ（開口数）が第１の情報記録媒体２０ａのＮＡ（ＢＤの場合は０．８５）に合致するように設計されている。且つ、対物レンズ１２は、この平行光束が入射した場合に、平行光束（０次回折光）が第１の情報記録媒体２０ａの情報記録面２２ａ上に集光されるような光学的パワーを有するように設計されている。従って、０次回折光が第１の情報記録媒体２０ａの信号光となり、第１の情報記録媒体２０ａへの情報の記録／再生が行われる。
【００３４】
一方、第２の情報記録媒体２０ｂに対しては１次回折光が信号光となる。すなわち、回折素子１１の回折面１５で生じた１次回折光が第２の情報記録媒体２０ｂの情報記録面２２ｂ上に集光されるようになっている。具体的に、上述のように回折面１５の径はレーザ光束Ｌの径よりも小さく設定されているため、第１の情報記録媒体２０ａの場合に対物レンズ１２に入射する光束よりも小さな径の光束が対物レンズ１２に入射することとなる。そして、その比較的径の小さな光束が入射した場合の対物レンズ１２のＮＡが第２の情報記録媒体２０ｂのＮＡ（ＨＤ−ＤＶＤの場合は０．６５）に合致するように設計されている。且つ、対物レンズ１２は、その比較的径の小さな光束が入射した場合に、第２の情報記録媒体２０ｂの情報記録面２２ｂ上に光束が集光されるように設計されている。
【００３５】
ところで、情報記録面２２に対して情報を記録する場合には、情報記録面２２に記録された情報を再生する場合と比較してより大きな光量が必要となる。従って、第１の情報記録媒体２０ａへの情報の記録の際に信号光として使用される０次回折光の回折効率は特に大きいことが好ましい。勿論、第２の情報記録媒体２０ｂの再生に用いられる１次回折光も大きい方が好ましく、その場合、よりノイズの少ない好適な再生が可能となる。
【００３６】
しかしながら、上記の如く０次回折光及び１次回折光のそれぞれの回折効率を十分に高く設定した場合であっても、信号光以外の回折光が信号光の光量に対して比較的多く発生した場合、すなわち、迷光が多く発生した場合は、各情報記録媒体２０の記録／再生が好適に行われなくなってしまう。
【００３７】
例えば、回折面１５において０次で回折され、情報記録面２２で反射された後に再度回折面１５において０次で回折された回折光（第１の情報記録媒体２０ａの信号光、）と、回折面１５において＋１次で回折され、情報記録面２２で反射された後に再度回折面１５において−１次で回折された回折光とは受光素子３８ａ上の同じ位置に結像される。また、回折面１５において−１次で回折され、情報記録面２２で反射された後に再度回折面１５において＋１次で回折された回折光も受光素子３８ａ上の同じ位置に結像される。一方、回折面１５において＋１次で回折され、情報記録面２２で反射された後に再度回折面１５において＋１次で回折された回折光（第２の情報記録媒体２０ｂの信号光）と、回折面１５において０次で回折され、情報記録面２２で反射された後に再度回折面１５において＋２次で回折された回折光とは受光素子３８ａ上の同じ位置に結像される。また、回折面１５において＋２次で回折され、情報記録面２２で反射された後に再度回折面１５において０次で回折された回折光も受光素子３８ａ上の同じ位置に結像される。すなわち、第１の光源３１ａから受光素子３８ａ間における回折次数の総合計が同じ場合は、受光素子３８ａ上の同じ位置に結像されることとなる。尚、下記説明において、回折面１５においてｍ次（ｍは整数）で回折され、情報記録面２２で反射された後に再度回折面１５においてｎ次（ｎは整数）で回折された回折光を「（ｍ、ｎ）回折光」と称呼することとする。
【００３８】
このため、０次回折光の回折効率を十分に高くした場合であっても、＋１次回折光の回折効率及び／又は−１次回折光の回折効率が高い場合は、０次回折光に対する迷光の比（以下「０次迷光比」とする。）が大きくなってしまい、第１の情報記録媒体２０ａへの情報の記録／再生が好適に行えなくなってしまう。
【００３９】
すなわち、第１の情報記録媒体２０ａへの情報の記録／再生及び第２の情報記録媒体２０ｂに記録された情報の再生を好適に行うためには、０次回折光の回折効率が非常に高く、１次回折光の回折効率も高く設定し、且つ０次迷光比及び１次迷光比を小さくする必要がある。
【００４０】
このところ、本実施形態１では、情報の記録／再生を行う第１の情報記録媒体２０ａの信号光となる０次回折光の回折効率が比較的高く設定されている。且つ、０次回折光の回折効率が１次回折光の回折効率よりも大きく設定されている。すなわち、対物光学系１０は、下記条件式（１）を満たすように構成されている。
【００４１】
η０＞η１      ・・・・・（１）
但し、
η０：回折面１５においてレーザ光束Ｌから分離された０次回折光の回折効率、
η１：回折面１５においてレーザ光束Ｌから分離された１次回折光の回折効率、
である。
【００４２】
このため、信号光たる（０、０）回折光の光量に対する，迷光たる（１、−１）回折光や（−、１）回折光の光量の比率を比較的小さくすることができる。すなわち、０次迷光比を小さくすることができる。従って、第１の情報記録媒体２０ａへの情報の好適な記録／再生が可能となる。尚、０次迷光比をより小さくする観点から、対物光学系１０は、下記条件式（１−ｂ）さらには（１−ａ）を満たすように構成することがより好ましい。
【００４３】
η０＞２η１      ・・・・・（１−ｂ）
η０＞＞η１      ・・・・・（１−ａ）
但し、
η０：回折面１５においてレーザ光束Ｌから分離された０次回折光の回折効率、
η１：回折面１５においてレーザ光束Ｌから分離された１次回折光の回折効率、
である。
【００４４】
尚、本明細書において「η０＞＞η１」は、η０がη１よりも明らかに大きいこと、２倍よりも遙に大きく、例えば３倍以上であることを示す。
【００４５】
さらに、（＋１、−１）回折光及び（−１、＋１）回折光の回折効率を低減して０次迷光比をさらに小さくする観点から、対物光学系１０は、上記条件式（１）、さらには（１−ｂ）、より好ましくは（１−ａ）を満たすと共に、下記条件式（１−ｃ）を満たすことがより好ましく、（１−ｅ）さらには（１−ｄ）を満たすことがさらに好ましい。
【００４６】
η０＞η−１      ・・・・・（１−ｃ）
η０＞２η−１      ・・・・・（１−ｅ）
η０＞＞η−１      ・・・・・（１−ｄ）
但し、
η０：回折面１５においてレーザ光束Ｌから分離された０次回折光の回折効率、
η−１：回折面１５においてレーザ光束Ｌから分離された−１次回折光の回折効率、
である。
【００４７】
尚、本明細書において「η０＞＞η−１」は、η０がη−１よりも明らかに大きいこと、２倍よりも遙に大きく、例えば３倍以上であることを示す。
【００４８】
具体的には、対物光学系１０は下記条件式（３）及び（４）を満たすように構成されていることが好ましい。さらには、（３−ａ）、（３−ｂ）を満たすように構成されていることが好ましく、（４−ａ）を満たすように構成されていることが好ましい。
【００４９】
η０＞６０％      ・・・・・（３）
η０＞６５％      ・・・・・（３−ａ）
η０＞６７％      ・・・・・（３−ｂ）
η１＞１０％      ・・・・・（４）
η１＞１２％      ・・・・・（４−ａ）
但し、
η０：回折面１５においてレーザ光束Ｌから分離された０次回折光の回折効率、
η１：回折面１５においてレーザ光束Ｌから分離された１次回折光の回折効率、
である。
【００５０】
また、上述のように、０次迷光比を大きくする主たる原因は（＋１、−１）回折光及び（−１、＋１）回折光であるものの、それら以外の回折光であっても回折次数の総合計が０になるような回折光は０次迷光比を増大させる原因となる。例えば、（＋２、−２）回折光や（−２、＋２）回折光も０次迷光比を増大させる原因となる。このような観点から、対物光学系１０は、下記条件式（２）、さらには（２−ｂ）、特には（２−ａ）を満足するものであることがさらに好ましい。
【００５１】
η０＞ηｍ      ・・・・・（２）
η０＞２ηｍ      ・・・・・（２−ｂ）
η０＞＞ηｍ      ・・・・・（２−ａ）
但し、
η０：回折面１５においてレーザ光束Ｌから分離された０次回折光の回折効率、
ηｍ：回折面１５においてレーザ光束Ｌから分離されたｍ次回折光の回折効率（但し、ｍは０以外の整数）、
である。
【００５２】
尚、本明細書において「η０＞＞ηｍ」は、η０がηｍよりも明らかに大きいこと、２倍よりも遙に大きく、例えば３倍以上であることを示す。
【００５３】
また、第２の情報記録媒体２０ｂに記録された情報の好適な再生を可能にするためには、１次回折光に対する迷光の比（以下「１次迷光比」とする。）も同様に小さくする必要がある。１次迷光比を大きくする主たる原因は（０、２）回折光及び（２、０）回折光である。しかしながら、第１の情報記録媒体２０ａへの情報の好適な記録／再生を実現する観点から本実施形態１では０次回折光の回折効率が十分に高く設定されている。このため、（０、２）回折光及び（２、０）回折光の光量は比較的大きくなってしまう。従って、２次回折光の回折効率を特に小さく設定することが好ましい。具体的に２次の回折効率が１％未満、さらには０．５％未満であることが特に好ましい。
【００５４】
また、１次迷光比は、（０、２）回折光及び（２、０）回折光以外の回折次数の総合計が２となる回折光によっても低下するものである。従って、対物光学系１０は、下記条件式（２−ｃ）、さらには（２−ｄ）、特には（２−ｅ）を満たすものであることが好ましい。
【００５５】
η０＞η１＞ηｍ      ・・・・・（２−ｃ）
η０＞２η１＞２ηｍ      ・・・・・（２−ｄ）
η０＞＞η１＞＞ηｍ      ・・・・・（２−ｅ）
但し、
η０：回折面１５においてレーザ光束Ｌから分離された０次回折光の回折効率、
η１：回折面１５においてレーザ光束Ｌから分離された１次回折光の回折効率、
ηｍ：回折面１５においてレーザ光束Ｌから分離されたｍ次回折光の回折効率（但し、ｍは０、１以外の整数）、
である。
【００５６】
特に０次迷光比を小さくする観点から、対物光学系１０は下記条件式（５）さらには（５−ａ）を満足するものであることが好ましい。尚、下記条件式（５）及び（５−ａ）は（０、０）回折光の総回折効率に対する（＋１、−１）回折光及び（−１、＋１）回折光の合計回折効率の比の好ましい範囲を表す式である。
【００５７】
２×（η１×η−１）／（η０２）＜０．１５      ・・・・・（５）
２×（η１×η−１）／（η０２）＜０．１０      ・・・・・（５−ａ）
但し、
η０：回折面１５においてレーザ光束Ｌから分離された０次回折光の回折効率、
η１：回折面１５においてレーザ光束Ｌから分離された１次回折光の回折効率、
η−１：回折面１５においてレーザ光束Ｌから分離された−１次回折光の回折効率、
である。
【００５８】
特に１次迷光比を小さくする観点から、対物光学系１０は下記条件式（６）さらには（６−ａ）を満足するものであることが好ましい。尚、下記条件式（５）及び（５−ａ）は（＋１、＋１）回折光の総回折効率に対する（０、２）回折光及び（２、０）回折光の合計回折効率の比の好ましい範囲を表す式である。
【００５９】
２×（η０×η２）／（η１２）＜０．１５      ・・・・・（６）
２×（η０×η２）／（η１２）＜０．１０      ・・・・・（６−ａ）
但し、
η０：回折面１５においてレーザ光束Ｌから分離された０次回折光の回折効率、
η１：回折面１５においてレーザ光束Ｌから分離された１次回折光の回折効率、
η２：回折面１５においてレーザ光束Ｌから分離された２次回折光の回折効率、
である。
【００６０】
尚、回折面１５は、その１次回折光に対する光学的パワーが正又は負となるように、すなわち０とならないように構成して、０次回折光の集光位置と１次回折光の集光位置とが相互に異なるようにすることが好ましい。そうすることによって、第１の情報記録媒体２０ａの保護層２１ａの層厚と第２の情報記録媒体２０ｂの保護層２１ｂとの層厚差により生じる球面収差をキャンセルすることができる。尚、回折面１５の１次の回折光に対する光学的パワーを正とすることによって、第１の光源３１ａから射出されるレーザ光束Ｌの波長が雰囲気温度等に起因して変化した場合の好適な色収差補正が可能となる。一方、回折面１５の１次の回折光に対する光学的パワーを負とすることによって、第２の情報記録媒体２０ｂの再生時における動作距離（第２の情報記録媒体２０ｂと対物レンズ１２との距離）を長くすることができる。
【００６１】
回折面１５の０次の回折光に対する光学的パワーも正負何れでもよい。回折面１５の０次の回折光に対する光学的パワーを正とすることによって、第１の光源３１ａから射出されるレーザ光束Ｌの波長が雰囲気温度等に起因して変化した場合の好適な色収差補正が可能となる。一方、回折面１５の０次の回折光に対する光学的パワーを負とすることによって、第１の情報記録媒体２０ａの再生時における動作距離（第１の情報記録媒体２０ａと対物レンズ１２との距離）を長くすることができる。
【００６２】
尚、対物レンズ１２及び回折素子１１は、各情報記録媒体２０の情報記録面２２上にレーザ光束が集光されるようにアクチュエータ３５によってレンズフォルダ１３と共に駆動される。
【００６３】
次に、回折素子１１の回折面１５の具体的形状について図３及び図４を参照しながら詳細に説明する。
【００６４】
上述のように０次回折光の回折効率を高め、０次回折光以外の回折次数の回折光の回折効率を比較的小さくするためには、図４に示すように、回折面１５を、頂点１６ｃの角度（頂角）が鈍角（好ましくは１５０°以上）であり、略三角形状の断面を有する輪帯状の凸部（レリーフ）１６が複数同心円状に周期的に配列されてなるものとすることが好ましい。尚、本明細書において、「略三角形状」は、２つの側面の一方又は両方が曲線（例えば、放物線）状である三角形状（ドーム状を含む）、頂部が面取り又はＲ面取りされた三角形状を含むものとする。
【００６５】
例えば特許文献１、２等において使用される回折面は、頂角が例えば１００°未満といった比較的頂角の小さな略三角形状の断面を有する凸部が周期的に配列されてなるものである。このため、比較的回折面の加工が困難である。また、切削により頂部の形状精度が高い凸部を形成するためには、切削に使用するバイトの大きさを凸部の周期に対して比較的小さくしなければならず、加工時間が長くなると共に、加工に要するコストも上昇する結果となる。
【００６６】
それに対して、本実施形態１では、上述のように回折面１５は頂角が非常に大きな凸部が周期的に配列されてなるものである。このため、比較的回折面の加工が容易である。また、切削に使用するバイトの大きさを比較的大きくしても頂部の高い形状精度が実現できる。よって、回折面１５の加工時間を短縮できると共に、加工費用も低減することができる。従って、回折素子１１の作製が容易且つ作製コストが比較的低くなる。その結果、安価な対物光学系１０、ひいては光ピックアップ装置１を実現することができる。
【００６７】
以上のように、本実施形態１によれば、第１の情報記録媒体２０ａへの情報の記録／再生及び、第１の情報記録媒体２０ａとは使用するレーザ光束の波長が実質的に等しい第２の情報記録媒体２０ｂの再生が好適に行えると共に、製造容易且つ低製造コストな光ピックアップ装置１の実現が可能となる。
【００６８】
尚、各次数の回折光の回折効率は、頂点位置と、レーザ光束Ｌに対する凸部１６の高さ、詳細には、ｈ／｛λ／（ｎ−１）｝（以下、ｙ＝ｈ／｛λ／（ｎ−１）｝として、ｈ／｛λ／（ｎ−１）｝は「ｙ」と記載する。）とをそれぞれ変化させることにより調節することができる。ここで、頂点位置とは、回折面１５が負の光学的パワーを有するものである場合、回折面１５の光軸ＡＸを含む断面における，凸部１６のピッチ（周期）ｐ（図４参照、図４は回折面１５が負の光学的パワーを有する場合の図である。）に対する凸部１６の光軸ＡＸに最も近接した部位から凸部１６の頂点１６ｃまでの距離〔（ｘ／１００）×ｐ〕の比率であり、一方、回折面１５が正の光学的パワーを有するものである場合、回折面１５の光軸ＡＸを含む断面における，凸部１６のピッチに対する凸部１６の光軸ＡＸに最も遠い部位から凸部１６の頂点までの距離の比率（％）である（以下、頂点位置を「ｘ」として記載することがある。）。また、
ｈ：凸部１６の光軸方向の高さ、
λ：レーザ光束Ｌの波長、
ｎ：レーザ光束Ｌの波長における回折素子１１の屈折率、
である。
【００６９】
下記表１は頂点位置及びｙと１次回折光及び０次回折光のそれぞれの回折効率との相関を表すグラフである。
【００７０】
【表１】
2008004241.tif 000003
【００７１】
上記表１より、各回折次数の回折光の回折効率は頂点位置ｘ及びｙを変化させることにより調節可能であることがわかる。また、上記表１より、好ましい回折効率を規定した条件式（３−ａ）及び（４）を満たすような回折面１５は、５５≦頂点位置（ｘ）≦６０のときに条件式（９）を満たし、６０≦頂点位置（ｘ）≦６５のときに条件式（１０）を満たし、６５≦頂点位置（ｘ）≦７７のときに条件式（１１）を満たすように構成することにより得られる。
【００７２】
η０＞６５％      ・・・・・（３−ａ）
η１＞１０％      ・・・・・（４）
０．２６≦ｙ≦０．３５                      ・・・・・（９）
−０．００２ｘ＋０．３８≦ｙ≦０．３５      ・・・・・（１０）
０．２５≦ｙ≦０．３５                      ・・・・・（１１）
すなわち、好ましい回折効率を規定した条件式（３−ａ）及び（４）を満たすような回折面１５は、図５に示す領域Ｒ１内に入るように構成することにより得られる。尚、図５中、バツ（×）は上記条件式（３−ａ）及び（４）の少なくとも一方を満たさない点であることを示す。白抜きの丸（○）及び黒丸（●）は上記条件式（３−ａ）及び（４）の両方を満たす点を示す。詳細には、黒丸（●）は、さらに上記条件式（３−ｂ）及び（４−ａ）を満たす点を示す。
【００７３】
また、上記表１より、好ましい回折効率を規定した条件式（３−ｂ）及び（４−ａ）を満たすような回折面１５は、５５≦頂点位置（ｘ）≦５８のときに条件式（９−ａ）を満たし、５８≦頂点位置（ｘ）≦６０のときに条件式（１０−ａ）を満たし、６０≦頂点位置（ｘ）≦７７のときに条件式（１１−ａ）を満たすように構成することにより得られる。
【００７４】
η０＞６７％      ・・・・・（３−ｂ）
η１＞１２％      ・・・・・（４−ａ）
０．２９≦ｙ≦０．３４                      ・・・・・（９−ａ）
−０．００５ｘ＋０．５８≦ｙ≦０．３４      ・・・・・（１０−ａ）
０．２８≦ｙ≦０．３４                      ・・・・・（１１−ａ）
すなわち、好ましい回折効率を規定した条件式（３−ａ）及び（４）を満たすような回折面１５は、図５に示す領域Ｒ２内に入るように構成することにより得られる。
【００７５】
以上のように、頂点位置ｘとｙとを変化させることにより各回折次数の回折光の回折効率を調整できるため、頂点位置ｘとｙとを変化させることにより、０次迷光比や１次迷光比も調整することができる。
【００７６】
下記表２は頂点位置ｘ及びｙと１次迷光比及び０次迷光比との相関を表すグラフである。
【００７７】
【表２】
2008004241.tif 000004
【００７８】
上記表２より、好ましい迷光比を規定した条件式（５）及び（６）を満たすような回折面１５は、５８≦頂点位置（ｘ）≦６０のときに条件式（１３）を満たし、６０≦頂点位置（ｘ）≦６５のときに条件式（１４）を満たし、６５≦頂点位置（ｘ）≦７０のときに条件式（１５）を満たし、７０≦頂点位置（ｘ）≦７２のときに条件式（１６）を満たし、７２≦頂点位置（ｘ）≦７５のときに条件式（１７）を満たし、７５≦頂点位置（ｘ）≦７７のときに条件式（１８）を満たすように構成することにより得られる。
【００７９】
２×（η１×η−１）／（η０２）＜０．１５      ・・・・・（５）
２×（η０×η２）／（η１２）＜０．１５      ・・・・・（６）
０．２４≦ｙ≦０．０３５ｘ−１．７３                      ・・・・・（１３）
０．２４≦ｙ≦０．３７                                    ・・・・・（１４）
（０．０３／５）ｘ−０．１５≦ｙ≦０．００２ｘ＋０．２４  ・・・・・（１５）
０．０１ｘ−０．４３≦ｙ≦０．３８                        ・・・・・（１６）
（０．０４／３）ｘ−０．６７≦ｙ≦０．３８                ・・・・・（１７）
０．０１ｘ−０．４２≦ｙ≦０．３８                        ・・・・・（１８）
すなわち、好ましい迷光比を規定した条件式（５）及び（６）を満たすような回折面１５は、図６に示す領域Ｒ３内に入るように構成することにより得られる。尚、図６中、バツ（×）は上記条件式（５）及び（６）の少なくとも一方を満たさない点であることを示す。白抜きの丸（○）及び黒丸（●）は上記条件式（５）及び（６）の両方を満たす点を示す。詳細には、黒丸（●）は、さらに上記条件式（５−ａ）及び（６−ａ）を満たす点を示す。
【００８０】
また、上記表２より、好ましい回折効率を規定した条件式（５−ａ）及び（６−ａ）を満たすような回折面１５は、５８≦頂点位置（ｘ）≦６０のときに条件式（１３−ａ）を満たし、６０≦頂点位置（ｘ）≦６５のときに条件式（１４−ａ）を満たし、６５≦頂点位置（ｘ）≦７０のときに条件式（１５−ａ）を満たし、７０≦頂点位置（ｘ）≦７２のときに条件式（１６−ａ）を満たし、７２≦頂点位置（ｘ）≦７５のときに条件式（１７−ａ）を満たすように構成することにより得られる。
【００８１】
２×（η１×η−１）／（η０２）＜０．１０      ・・・・・（５−ａ）
２×（η０×η２）／（η１２）＜０．１０       ・・・・・（６−ａ）
０．２４≦ｙ≦０．０４ｘ−２．０７         ・・・・・（１３−ａ）
０．２４≦ｙ≦０．００２ｘ＋０．２１        ・・・・・（１４−ａ）
０．０１ｘ−０．４１≦ｙ≦０．００２ｘ＋０．２１  ・・・・・（１５−ａ）
０．０１ｘ−０．４１≦ｙ≦０．３５                ・・・・・（１６−ａ）
（０．０１／３）ｘ＋０．１１≦ｙ≦（０．０５／３）ｘ−０．８９      ・・・・・（１７−ａ）
すなわち、好ましい回折効率を規定した条件式（５−ａ）及び（６−ａ）を満たすような回折面１５は、図６に示す領域Ｒ４内に入るように構成することにより得られる。
【００８２】
以上より、好ましい回折効率を規定した条件式（３−ａ）及び（４）を満たし、且つ好ましい回折効率を規定した条件式（５−ａ）及び（６−ａ）を満たすような回折面１５は、図７に示す領域Ｒ５内に入るように構成することにより得られる。
【００８３】
尚、より詳細な頂点位置ｘ及びｙと各回折次数の回折光の回折効率及び迷光比との相関を下記表３乃至１８に示す。
【００８４】
表３乃至表６では、
回折素子１１の波長４０８ｎｍにおける屈折率：１．６２６９６９、
回折素子１１の波長６７０ｎｍにおける屈折率：１．６０５９４５、
回折素子１１の波長７８０ｎｍにおける屈折率：１．６０２４８９、
であり、回折素子１１はガラス製である。
【００８５】
表７乃至表１０では、
回折素子１１の波長４０８ｎｍにおける屈折率：１．５５８３５８、
回折素子１１の波長６７０ｎｍにおける屈折率：１．５３９１３２、
回折素子１１の波長７８０ｎｍにおける屈折率：１．５３６０２８、
であり、回折素子１１は樹脂製である。
【００８６】
表１１乃至表１４では、
回折素子１１の波長４０８ｎｍにおける屈折率：１．５２３９１３、
回折素子１１の波長６７０ｎｍにおける屈折率：１．５０５６９７、
回折素子１１の波長７８０ｎｍにおける屈折率：１．５０３０２６、
であり、回折素子１１は樹脂製である。
【００８７】
表１５乃至表１８では、
回折素子１１の波長４０８ｎｍにおける屈折率：１．７８２７８５、
回折素子１１の波長６７０ｎｍにおける屈折率：１．７４９３１５、
回折素子１１の波長７８０ｎｍにおける屈折率：１．７４４０６１、
であり、回折素子１１はガラス製である。
【００８８】
また、表３、７、１１、１５は頂点位置ｘが５５％である場合のデータである。表４、８、１２、１６は頂点位置ｘが６０％である場合のデータである。表５、９、１３、１７は頂点位置ｘが７０％である場合のデータである。表６、１０、１４、１８は頂点位置ｘが７５％である場合のデータである。
【００８９】
また、表３乃至１８において回折面１５は負の光学的パワーを有するものである。
【００９０】
【表３】
2008004241.tif 000005
【００９１】
【表４】
2008004241.tif 000006
【００９２】
【表５】
2008004241.tif 000007
【００９３】
【表６】
2008004241.tif 000008
【００９４】
【表７】
2008004241.tif 000009
【００９５】
【表８】
2008004241.tif 000010
【００９６】
【表９】
2008004241.tif 000011
【００９７】
【表１０】
2008004241.tif 000012
【００９８】
【表１１】
2008004241.tif 000013
【００９９】
【表１２】
2008004241.tif 000014
【０１００】
【表１３】
2008004241.tif 000015
【０１０１】
【表１４】
2008004241.tif 000016
【０１０２】
【表１５】
2008004241.tif 000017
【０１０３】
【表１６】
2008004241.tif 000018
【０１０４】
【表１７】
2008004241.tif 000019
【０１０５】
【表１８】
2008004241.tif 000020
【０１０６】
上記表３乃至１８において、「頂点１６ｃのＲ（μｍ）」とは、凸部１６の頂点１６ｃがＲ面取り状である場合の頂点１６ｃの曲率半径を示している。表３乃至１８に示すように頂点１６ｃのＲが０でない場合（すなわち、頂点１６ｃが尖鋭でない場合）も頂点１６ｃのＲが０である場合と各回折次数の回折光の回折効率は大きくは変化しない。このため、本実施形態１のように、例えば、１５０°以上といった非常に大きな頂角を有する断面略三角形状の凸部１６を周期的に配列してなる回折面１５を用いた場合は、頂点１６ｃの丸まりに対しする光学性能の劣化が小さい。従って、切削に使用するバイトの大きさも比較的大きくすることができ、製造が比較的容易で、且つ製造による光学性能のムラの小さな対物光学系１０、ひいては光ピックアップ装置１を実現することが可能となる。尚、頂点１６ｃのＲは５μｍ以上であってもよい。
【０１０７】
また、本実施形態１においてはｙ《ｈ／｛λ（ｎ−１）｝》が非常に小さい構成となっているため、上記表３乃至１８に示すように、第１の情報記録媒体２０ａ及び第２の情報記録媒体２０ｂの情報記録面２２に対応するレーザ光束の波長（例えば、第１の情報記録媒体２０ａがＢＤであり、第２の情報記録媒体２０ｂがＨＤ−ＤＶＤである場合は、約４０８ｎｍ）よりも長い光の０次回折光の回折効率が極めて高くなる。従って、光ピックアップ装置１は、第１の情報記録媒体２０ａ及び第２の情報記録媒体２０ｂの情報記録面２２に対応したレーザ光束の波長よりも長い波長のレーザ光束に対応した情報記録面２２を有する更なる情報記録媒体の再生が可能な構成を有するものであってもよい。具体的に、光ピックアップ装置１は、更なる情報記録媒体の情報記録面に対応した波長のレーザ光束を射出する更なる光源と、その更なる光源から射出され更なる情報記録媒体の情報記録面において反射された反射光束を検出する更なる受光素子を備えており、更なる光源からのレーザ光束を対物光学系１０を用いて更なる情報記録媒体の情報記録面に集光する構成としてもよい。その場合、更なる光源からのレーザ光束から回折面１５において分離された高い回折効率を有する０次回折光が情報記録面に集光されるように構成することが好ましい。例えば、第１の情報記録媒体２０ａをＢＤとし、第２の情報記録媒体２０ｂをＨＤ−ＤＶＤとし、更なる情報記録媒体をＣｏｍｐａｃｔ  Ｄｉｓｃ（以下、ＣＤと略。登録商標）及び／又はＤｉｇｉｔａｌ  Ｖｅｒｓａｔｉｌｅ  Ｄｉｓｃ（以下、ＤＶＤと略。登録商標）としてもよい。
【０１０８】
この構成によれば、第１の情報記録媒体２０ａへの情報の記録／再生及び、それ以外の複数種類の情報記録媒体の再生、さらには記録が可能となる。例えば、ＢＤ、ＨＤ−ＤＶＤ、ＣＤ、ＤＶＤの再生が可能であり、且つＢＤへの情報の記録が可能な光ピックアップ装置１を実現することができる。
【０１０９】
また、この構成において、更なる情報記録媒体の好適な記録／再生を可能にする観点から、対物光学系１０は下記条件式（７）さらには（７−ａ）を満たすものであることが好ましい。また、条件式（７）とは独立して、又は条件式（７）と同時に条件式（８）を満たすものとすることが好ましい。
【０１１０】
γ＞８５％      ・・・・・（７）
γ＞９０％      ・・・・・（７−ａ）
但し、
γ：回折面１５において更なる情報記録媒体の情報記録面に対応したレーザ光束から分離された０次回折光の回折効率、
である。
【０１１１】
γ＞η０      ・・・・・（８）
但し、
γ：回折面１５において更なる情報記録媒体の情報記録面に対応したレーザ光束から分離された０次回折光の回折効率、
η０：回折面１５において第１及び第２の情報記録媒体２０の情報記録面２２に対応したレーザ光束から分離された０次回折光の回折効率、
である。
【０１１２】
尚、更なる情報記録媒体の情報記録面に対応するレーザ光束の波長は、例えば６６０ｎｍ以上６８０ｎｍ以下であってもよい。また、例えば７７０ｎｍ以上８００ｎｍ以下であってもよい。
【０１１３】
以上、本発明を実施した好ましい形態の一例として光ピックアップ装置１を説明してきたが、回折面１５は位相関数に沿ったものであり、回折面１５を構成する複数の凸部１６の周期は一定でなくともよい。例えば、回折面１５は、凸部１６の周期（ピッチ）は光軸ＡＸから離れるにつれて長くなるように構成されていてもよい。また、凸部１６は、断面略三角形状であると説明したが、上述のように回折面１５は位相関数に沿ったものであるため、凸部１６の側面１６ａや１６ｂの断面形状は直線状でない場合がある。例えば、側面１６ａや１６ｂの断面形状は曲線状である場合もある。本実施形態１では、説明の便宜上、側面１６ａ、１６ｂの断面形状を直線状としているにすぎない。従って、本発明において側面１６ａ、１６ｂは断面直線状とは限定されない。
【０１１４】
（変形例１）
上記実施形態１では、対物光学系１０を回折素子１１と対物レンズ１２とを有するものとした例について説明した。しかしながら、対物光学系１０は回折面１５を備え、且つレーザ光束Ｌを集光することができる構成であれば何ら限定されるものではない。
【０１１５】
本変形例１では、一方のレンズ面に回折面１５が形成された対物レンズ１２ａにより対物光学系１０を構成する例について説明する。尚、本変形例１の説明において、実質的に同じ機能を有する構成要素を実施形態１と共通の参照符号で説明し、説明を省略する。
【０１１６】
図８は本変形例１における対物レンズ１２ａの側面図である。
【０１１７】
対物レンズ１２ａは、一方のレンズ面に回折面１５が形成された一体型の素子である。対物レンズ１２ａはガラス製であっても樹脂製であってもよい。
【０１１８】
この対物レンズ１２ａにより対物光学系１０を構成する場合、回折素子１１が不要となるため、アクチュエータ３５により駆動するレンズフォルダ１３の重量を低減することができる。また、使用する素子の数量を低減することができるため、組立が容易になると共に、製造コストも低減される。
【０１１９】
（変形例２）
上記変形例１では回折面１５が一方のレンズ面に形成された対物レンズ１２ａについて説明したが、対物レンズは一体形成されたものに限定されるものではない。
【０１２０】
図９は本変形例２に係る対物レンズ１２ｂの断面図である。
【０１２１】
図９に示すように、対物レンズ１２ｂは、対物レンズ本体１７と、対物レンズ本体１７の一方の面に沿った形状の回折素子１８とが接合されてなるものである。対物レンズ本体１７は、正の光学的パワーを有するものであり、例えば、図９に示すように両レンズ面が凸状である所謂両凸レンズであってもよい。
【０１２２】
回折素子１８は回折面１５を備えている。対物レンズ本体１７及び回折素子１８のそれぞれは、ガラス製であってもよく、樹脂製であってもよい。レーザ光束の透過率を高くする観点から、対物レンズ本体１７はガラス製であることが特に好ましい。同様の観点からは回折素子１８もガラス製であることが好ましいが、製造容易性の観点からは樹脂製（例えば、熱可塑性樹脂製、エネルギー硬化樹脂製）であることが好ましい。ここで、エネルギー硬化樹脂とは、軟化状態にある樹脂材料に所定の対応するエネルギー（例えば、熱エネルギー、光（例えば紫外光）エネルギー、電子線（ＥＢ）エネルギー等）を付与することにより不可逆的に硬化する樹脂をいう。エネルギー硬化樹脂の具体例としては、熱硬化樹脂、光硬化樹脂（例えば、紫外光硬化樹脂）、電子線（ＥＢ）硬化樹脂等が挙げられる。
【０１２３】
例えば、上記変形例１における対物レンズ１２ａは、ガラスプリフォームをヒートプレス成形（例えば、リヒートプレス成形）することにより作製することができる。詳細には、一対の成形型により加熱して軟化されたガラスプリフォームを押圧成形することにより作製することができる。ここで、対物レンズ１２ａの一方のレンズ面には回折面１５が形成されているため、一対の成形型の一方の成形面を回折面１５に対応した形状に加工しなければならない。ところで、ヒートプレス成形は、例えば５００℃以上といった非常に高い温度で行われるため、成形型の材料は、高耐熱性かつ高硬度なものであることが好ましく、例えば、タングステンカーバイド（ＷＣ）を主成分とする超硬合金等により作製することが好ましい。しかしながら、このような高硬度な材料により作製された成形型の成形面を微細な回折面１５に対応した形状に切削するのは、例えばダイヤモンドバイトを用いたとしても非常に困難である。すなわち、対物レンズ１２ａを作製するための成形型の作製が困難であるという問題がある。
【０１２４】
また、回折面１５に対応した微細な形状への加工が容易なように成形型を比較的柔らかいニッケルや銅を含む合金により作製することも考えられる。その場合、回折面１５に対応した微細な形状への加工は比較的容易となる。しかしながら、柔らかい材料で作製した分だけ成形型の寿命も短くなる。従って、対物レンズ１２ａの製造コストが上昇してしまうという問題もある。
【０１２５】
それに対して、本変形例２における対物レンズ１２ｂでは、たとえ対物レンズ本体１７をガラス製にしたとしても、対物レンズ本体１７には回折面１５が形成されておらず、比較的シンプルな形状の成形型でヒートプレス成形することができる。そして、例えば２Ｐ工法（Ｐｈｏｔｏｒｅｐｌｉｃｔｉｏｎ  Ｐｒｏｃｅｓｓ）というように、対物レンズ本体１７の上に軟化状態にある樹脂を配し、回折面１５の形状に対応した形状の成形面を有する成形型を用いてプレスすることにより対物レンズ本体１７の上に接合された回折素子１８を作製することができる。この場合、樹脂のプレスはガラスのプレスと比較して非常に低い温度雰囲気中で行うことができ、且つ成形型の硬度もさほど要求されない。従って、成形型を比較的柔らかい材料により作製することができる。また、比較的柔らかい材料により成形型を作製した場合であっても、成形型の寿命がそれほど短くなることもない。従って、本変形例２における構成によれば、安価且つ容易に作製可能な対物レンズ１２ｂを実現することができる。
【０１２６】
尚、本変形例のように、回折面１５をレーザ光束Ｌの入射面側のレンズ面に形成することによって、正弦条件満足度を高めることができる。その結果軸外コマ収差を低減して、高い光学性能が実現可能となる。但し、回折面１５をレーザ光束Ｌの出射面側のレンズ面に形成してもよい。出射面側のレンズ面におけるレーザ光束Ｌの径は入射面側のレンズ面における同径よりも小さいため、回折面１５の径を比較的小さくすることができる。また、通常、出射面側のレンズ面の方が曲率が弱いため、２Ｐ工法での加工がより容易となる。
【０１２７】
また、回折面１５を対物レンズ本体１７と回折素子１８との接合面に形成してもよい。この構成によれば、回折面１５の回折効率の波長依存性を低減することができる。従って、相互に波長の異なる複数種類のレーザ光束を用いる光ピックアップ装置に特に有効である。
【０１２８】
尚、本変形例２において、回折素子１８の光軸ＡＸ上の厚みは対物レンズ本体１７の光軸ＡＸ上の厚みの１／２００以下（より好ましくは１／４００以下）であることが好ましい。特に、回折素子１８が樹脂製である場合は、この構成を採用することが好ましい。そうすることによって対物レンズ１２ｂの光透過率を向上することができる。
【０１２９】
（変形例３）
図１０は本変形例３における対物レンズ１２ｃの断面図である。
【０１３０】
本変形例３は上記変形例２の更なる変形例である。上記変形例２では、レンズ面の一部に回折面１５が形成されている構成であったが、本変形例３では、回折素子１８は、レンズ面の中央部分に形成された第１の回折面１５ａと、周辺部分に形成され、第１の回折面１５ａとは基礎とする位相関数が異なる第２の回折面１５ｂとを備えている。そして、第１の回折面１５ａは、第１の情報記録媒体２０ａに対するレーザ光束Ｌの０次回折光が情報記録面２２に集光する際の収差が少なくなるような形状を有する。一方、第２の回折面１５ｂは、第２の情報記録媒体２０ｂに対するレーザ光束Ｌの１次回折光が情報記録面２２に集光する際の収差が少なくなるような形状を有する。
【０１３１】
この構成によれば、雰囲気温度の変化等によるレーザ光束Ｌの波長の変化や光軸ＡＸ上に配置された光学素子等の屈折率変化等に起因する球面収差の変化を緩和することができる。すなわち、外乱に対する耐久性を向上することができる。
【０１３２】
尚、上記実施形態１においても、本変形例３と同様に、基礎とする位相関数の異なる第１の回折面１５ａ及び第２の回折面１５ｂを設ける構成としてもよい。
【０１３３】
（実施形態２）
図１１は本実施形態２に係る光ピックアップ装置２の主要部の構成を表す図である。
【０１３４】
本実施形態２では、射出するレーザ光束の波長が相互に異なる２種の第１の光源３１ａ及び３１ｂを備え、３種以上の情報記録媒体への記録／再生が可能な構成例について説明する。詳細には、ＢＤとＨＤ−ＤＶＤのように、対応するレーザ光束の波長が実質的に等しい一方、保護層２１の層厚が相互に異なる第１及び第２の情報記録媒体２０ａ、２０ｂと、第１及び第２の情報記録媒体２０ａ、２０ｂとは対応するレーザ光束の波長及び／又は保護層２１の層厚が相互に異なる第３の情報記録媒体２０ｃ（例えば、ＣＤやＤＶＤ等）とを含む３種以上の情報記録媒体への記録／再生が可能な構成例について説明する。尚、本実施形態２の説明において実質的に同じ機能を有する構成要素を実施形態１と共通の参照符号で説明し、説明を省略する。
【０１３５】
本実施形態２に係る光ピックアップ装置２は、第１の光源３１ａ及び３１ｂとコリメートレンズ３２ａ及び３２ｂと、ビームスプリッタ３３ａ及び３３ｃと、ダイクロイックプリズム３３ｂと、位相段差素子４０と、上記実施形態１で説明した回折素子１１と、立ち上げミラー３４と、本実施形態２において対物光学系を構成する対物レンズ１２と、アクチュエータ３５及び制御部３６と、コリメートレンズ３７ａ及び３７ｂと、受光素子３８ａ及び３８ｂと、信号処理部３９ａ及び３９ｂとを備えている。
【０１３６】
第１の光源３１ａは、上記実施形態１で説明したように、第１の情報記録媒体２０ａ及び第２の情報記録媒体２０ｂの情報記録面２２に対応した波長のレーザ光束を射出するものである。第１の光源３１ａの前方にはコリメートレンズ３２ａが配置されている。このコリメートレンズ３２ａにより第１の光源３１ａから射出されたレーザ光束は平行光束に変換される。その後、ビームスプリッタ３３ａ及びダイクロイックプリズム３３ｂを透過した後、レーザ光束は位相段差面を有する位相段差素子４０に入射する。
【０１３７】
この位相段差素子４０の位相段差面は同心円状に段差が階段状となるように配列されてなるものである。そして、本実施形態２では、各段差の大きさは、第１の情報記録媒体２０ａ又は第２の情報記録媒体２０ｂに対して第１の光源３１ａから射出されるレーザ光束がそのまま透過するような大きさに設定されている。すなわち、各段差の大きさは、第１の光源３１ａから射出されたレーザ光束の波長をλ、位相段差素子４０の材質の屈折率をｎとしたとき、λ／（ｎ−１）と等しくなるように設計されている。
【０１３８】
位相段差素子４０を透過した第１の光源３１ａから射出されたレーザ光束は回折素子１１に入射し、上記実施形態１にて説明したように、回折素子１１において少なくとも０次回折光及び１次回折光を含む複数の回折次数の光束に分離される。回折素子１１から射出された回折光は立ち上げミラー３４により対物レンズ１２方向へ導かれる。そして、対物レンズ１２によって各回折光が情報記録媒体２０の情報記録面に集光される。
【０１３９】
ここで、対物レンズ１２は、その基準位置において第１の光源３１ａから射出され回折素子１１によって分離された０次回折光が第１の情報記録媒体２０ａの情報記録面２２ａ上に集光されるように設計されたものである。
【０１４０】
尚、対物レンズ１２には制御部３６に接続されたアクチュエータ３５が接続されており、制御部３６からの信号に従ってアクチュエータ３５を駆動させることによって対物レンズ１２を光軸上を変位させて対物レンズ１２の集光位置を調節できるように構成されている。
【０１４１】
そして、情報記録面２２における反射光は再び対物レンズ１２等を透過して、最後にコリメートレンズ３７ａにより受光素子３８ａ上に集光される。受光素子３８ａは、集光された反射光束の光量に応じて信号処理部３９ａに電気信号を出力するように構成されている。このようにして、情報記録面２２ａ、２２ｂに記録された情報を読み出し可能に構成されている。
【０１４２】
一方、第１の光源３１ａとは波長の異なる（詳細には第１の光源３１ａから射出されるレーザ光束の波長よりも長い波長の）レーザ光束を射出する第２の光源３１ｂから射出されたレーザ光束は、コリメートレンズ３２ｂにより平行光束に変換される。そして、ダイクロイックプリズム３３ｂ内の反射面により反射され、ダイクロイックプリズム３３ｂへと導かれる。そして、再度ダイクロイックプリズム３３ｂ内の反射面により反射され、位相段差素子４０へと導かれる。
【０１４３】
ここで位相段差素子４０の位相段差面の各段差の大きさは、第２の光源３１ｂから射出されるレーザ光束の波長に対して、λ／（ｎ−１）を満足していない。このため、第２の光源３１ｂからのレーザ光束は位相段差素子４０によって位相変調されることとなる。
【０１４４】
回折素子１１は、位相変調されたレーザ光束を実質的に０次回折するように構成されている。このため、位相変調されたレーザ光束は回折素子１１によって実質的に０次回折される。その０次回折光が対物レンズ１２によって第３の情報記録媒体２０ｃ（情報記録面２２に対応するレーザ光束の波長が第１の情報記録媒体２０ａ及び第２の情報記録媒体２０ｂとは異なる）の情報記録面２２ｃに集光されるようになっている。
【０１４５】
情報記録面２２ｃにおける反射光束は再び対物レンズ１２等を透過して、検出光学系３７ｂによって受光素子３８ｂ上に集光される。受光素子３８ｂは、集光された反射光束の光量に応じて信号処理部３９ｂに電気信号を出力するように構成されている。このようにして、情報記録面２２ｃに記録された情報を読み出し可能に構成されている。
【０１４６】
次に、光ピックアップ装置２の動作について説明する。
【０１４７】
まず、対物レンズ１２に対して第１の情報記録媒体２０ａが配置された場合の動作について説明する。
【０１４８】
第１の情報記録媒体２０ａが配置されると、第１の光源３１ａがオンされ、第１の光源３１ａから第１の情報記録媒体２０ａに応じたレーザ光束が射出される。第２の光源３１ｂはオフ状態のままである。レーザ光束はコリメートレンズ３２ａによって平行光束に変換され、ビームスプリッタ３３ａ及び３３ｂを透過して位相段差素子４０に入射する。上述の通り、位相段差素子４０は第１の光源３１ａからのレーザ光束をそのまま透過させるように設計されている。このため、平行光束が回折素子１１に入射する。
【０１４９】
回折素子１１は実施形態１において説明したようにレーザ光束を０次回折光及び１次回折光に分離するものである。その分離された回折光のうち０次回折光が立ち上げミラー３４により反射されて、対物レンズ１２によって第１の情報記録媒体２０ａの情報記録面２２ａに集光される。そして、情報記録面２２ａにおける反射光束が受光素子３８ａによって検出されるようになっている。
【０１５０】
次に、対物レンズ１２に対して第２の情報記録媒体２０ｂが配置された場合について説明する。この場合においても、第１の光源３１ａがオンされ、第１の光源３１ａからレーザ光束が射出される。そして、第１の情報記録媒体２０ａが配置された場合と同様に、コリメートレンズ３２ａによって平行光束に変換され、ビームスプリッタ３３ａ及び３３ｂ、さらには位相段差素子４０を透過して回折素子１１に入射する。ここで０次回折光と１次回折光とを含む複数の回折次数の回折光に分離される。そして、第２の情報記録媒体２０ｂが配置された場合は、１次回折光が第２の情報記録媒体２０ｂの情報記録面２２ｂに集光するように、アクチュエータ３５及び制御部３６によって対物レンズ１２の位置が調整される（フォーカス調整が行われる）。その結果、１次回折光が第２の情報記録媒体２０ｂの情報記録面２２ａに集光されることとなる。そして、第１の情報記録媒体２０ａに記録された情報を再生する場合には、情報記録面２２における反射光束が受光素子３８ａによって検出されるようになっている。
【０１５１】
ここで、上記実施形態１で説明したように、０次回折光の回折効率が比較的高く設定されており、且つ０次迷光比が比較的低く設定されている。このため、本実施形態２においても上記実施形態１と同様に、好適に第１の情報記録媒体２０ａへの情報の記録／再生が可能となる。また、１次回折光もある程度回折効率が高く設定されており、且つ１次迷光比も比較的小さく設定されている。従って、第２の情報記録媒体２０ｂを好適に再生することができる。
【０１５２】
次に、対物レンズ１２に対して第３の情報記録媒体２０ｃが配置された場合について説明する。この場合は、第１の光源３１ａがオフされ、第２の光源３１ｂからレーザ光束が射出される。第２の光源３１ｂから射出されたレーザ光束はコリメートレンズ３２ｂによって平行光束に変換される。その後、ビームスプリッタ３３ｃ内に設けられた反射面により反射され、さらにダイクロイックプリズム３３ｂ内に設けられた反射面により反射されて位相段差素子４０に入射する。
【０１５３】
上述のように、位相段差素子４０の位相段差面の各段差の大きさは、第２の光源３１ｂから射出されるレーザ光束の波長に対して、λ／（ｎ−１）を満足していない。このため、第２の光源３１ｂからのレーザ光束は位相段差素子４０によって位相変調されることとなる。
【０１５４】
位相変調されたレーザ光束は回折素子１１に入射する。回折素子１１は、その位相変調されたレーザ光束を実質的に０次回折するように構成されている。ここで、対物レンズ１２は、その位置が対物レンズ１２によってその０次回折光が第３の情報記録媒体２０ｃの情報記録面２２ｃ上に集光するようにアクチュエータ３５を駆動制御して調節されている。従って、０次回折光が対物レンズ１２によって第３の情報記録媒体２０ｃの情報記録面２２ｃ上に好適に集光される。そして、情報記録面２２ｃにおける反射光束が受光素子３８ｂによって検出されるようになっている。
【０１５５】
ここで、第３の情報記録媒体２０ｃの好適な記録／再生を可能にする観点から、回折素子１１は下記条件式（７）さらには（７−ａ）を満たすものであることが好ましい。また、条件式（７）とは独立して、又は条件式（７）と同時に条件式（８）を満たすものとすることが好ましい。この構成によれば、情報記録面２２ｃ上への集光効率を高くすることができる。従って、高いＳ／Ｎ比を実現することができる。
【０１５６】
γ＞８５％      ・・・・・（７）
γ＞９０％      ・・・・・（７−ａ）
但し、
γ：回折面１５において情報記録面２２ｃに対応したレーザ光束から分離された０次回折光の回折効率、
である。
【０１５７】
γ＞η０      ・・・・・（８）
但し、
γ：回折面１５において情報記録面２２ｃに対応したレーザ光束から分離された０次回折光の回折効率、
η０：回折面１５において情報記録面２２ａ、２２ｂに対応したレーザ光束から分離された０次回折光の回折効率、
である。
【０１５８】
尚、本実施形態２では、アクチュエータ３５により駆動されるのは対物レンズ１２のみであるが、例えば、回折素子１１を立ち上げミラー３４よりも対物レンズ１２寄りに配置し、対物レンズ１２及び回折素子１１をレンズフォルダ等で固定して、それらを一体としてアクチュエータ３５により駆動する構成としてもよい。さらに、回折素子１１及び位相段差素子４０を立ち上げミラー３４よりも対物レンズ１２寄りに配置し、対物レンズ１２と共に回折素子１１及び位相段差素子４０をレンズフォルダ等で固定してもよい。このようにすることによって、回折素子１１と対物レンズ１２との軸ずれが低減され、対物レンズ１２がトラッキング方向に変位した際の収差を低減することができる。
【０１５９】
また、回折素子１１の一方の面（回折面が形成されていない面）に位相段差素子４０に設けられた位相段差面と同様の位相段差面を形成したり、回折面と位相段差面とを合わせた形状の面を回折素子１１に形成してもよい。そして、その回折素子１１を立ち上げミラー３４よりも対物レンズ１２寄りに配置してレンズフォルダ等に対物レンズ１２と共に固定する構成としてもよい。
【０１６０】
また、実施形態１と同様に、回折素子１１を設ける代わりに、回折面１５を対物レンズ１２の一方のレンズ面に形成する構成としてもよい。
【０１６１】
また、各情報記録媒体２０の保護層２１の厚みは特に限定されるものではなく、例えば、下記条件式（１９）や（２０）を満たすように設定してもよい。
【０１６２】
ｔ１＝ｔ２＞ｔ３      ・・・・・（１９）
ｔ１＞ｔ２＞ｔ３      ・・・・・（２０）
但し、
ｔ１：第１の情報記録媒体２０ａの保護層２１ａの厚み、
ｔ２：第２の情報記録媒体２０ｂの保護層２１ｂの厚み、
ｔ３：第３の情報記録媒体２０ｃの保護層２１ｃの厚み、
である。
【０１６３】
また、光ピックアップ装置２は、第３の情報記録媒体２０ｃへの情報の記録及び情報の再生の両方が可能な構成であってもよく、また、再生のみが可能な構成であってもよい。
【０１６４】
以上説明した実施形態２の構成によれば、例えば、ＢＤの記録／再生、ＨＤ−ＤＶＤの再生、ＤＶＤ又はＣＤの記録／再生又は再生のみが可能となる。
【０１６５】
（実施形態３）
図１２は本実施形態３に係る光ピックアップ装置２の主要部の構成を表す図である。
【０１６６】
上記実施形態１、２では、対物レンズがひとつのみ設けられた例について説明したが、本実施形態３及び下記実施形態４では、対物レンズが２つ設けられた光ピックアップ装置３について説明する。
【０１６７】
尚、光ピックアップ装置３も、上記光ピックアップ装置２と同様に、ＢＤとＨＤ−ＤＶＤのように、対応するレーザ光束の波長が実質的に等しい一方、保護層２１の層厚が相互に異なる第１及び第２の情報記録媒体２０ａ、２０ｂと、第１及び第２の情報記録媒体２０ａ、２０ｂとは対応するレーザ光束の波長及び／又は保護層２１の層厚が相互に異なる第３の情報記録媒体２０ｃ（例えば、ＣＤやＤＶＤ等）とを含む３種以上の情報記録媒体への記録／再生が可能な構成のものである。尚、本実施形態３の説明において実質的に同じ機能を有する構成要素を実施形態１、２と共通の参照符号で説明し、説明を省略する。
【０１６８】
図１２に示すように、本実施形態３に係る光ピックアップ装置３も、上記光ピックアップ装置２と同様に、第１の情報記録媒体２０ａ及び第２の情報記録媒体２０ｂに対応した波長のレーザ光束を射出する第１の光源３１ａと、第３の情報記録媒体２０ｃに対応した波長のレーザ光束を射出する第２の光源３１ｂとを備えている。また、第１の光源３１ａに対応して、コリメートレンズ３２ａ及び３７ａ、ビームスプリッタ３３ａ、回折素子１１、受光素子３８ａ、信号処理部３９ａが設けられている。第２の光源３１ｂに対応して、コリメートレンズ３２ｂ及び３７ｂ、ビームスプリッタ３３ｃ、受光素子３８ｂ、信号処理部３９ｂが設けられている。
【０１６９】
本実施形態３では、第１の光源３１ａからのレーザ光束を第１の情報記録媒体２０ａの情報記録面２２ａ又は第２の情報記録媒体２０ｂの情報記録面２２ｂに集光するための対物レンズ１２ｃと、第２の光源３１ｂからのレーザ光束を第３の情報記録媒体２０ｃの情報記録面２２ｃに集光するための対物レンズ１２ｄとを備えている。すなわち、第２の光源３１ｂからのレーザ光束を第３の情報記録媒体２０ｃの情報記録面２２ｃに集光するための専用の対物レンズ１２ｄがさらに設けられた構成となっている。
【０１７０】
対物レンズ１２ｃと対物レンズ１２ｄとは、共通のレンズフォルダ１３に固定されている。レンズフォルダ１３には、レンズフォルダ１３と共に対物レンズ１２ｃ及び対物レンズ１２ｄを駆動するためのアクチュエータ３５及び制御部３６が接続されている。尚、第１の光源３１ａからのレーザ光束は立ち上げ反射面３４ａによって対物レンズ１２ｃに導かれる。一方、第２の光源３１ｂからのレーザ光束は立ち上げミラー３４ｂによって対物レンズ１２ｄに導かれる。
【０１７１】
本実施形態３における光ピックアップ装置３に第１の情報記録媒体２０ａが配置された場合、第１の光源３１ａがオンされ、第１の光源３１ａから第１の情報記録媒体２０ａの情報記録面２２ａに対応した波長のレーザ光束が射出される。第１の光源３１ａから射出されたレーザ光束は、コリメートレンズ３２ａによって平行光束に変換される。その後、ビームスプリッタ３３ａを透過し、回折素子１１に入射する。レーザ光束は回折素子１１において０次回折光及び１次回折光を含む複数種類の回折光に分離される。そのうち０次回折光が立ち上げミラー３４ａによって対物レンズ１２ｃに導かれ、対物レンズ１２ｃによって第１の情報記録媒体２０ａの情報記録面２２ａに集光される。そして、第１の情報記録媒体２０ａに記録された情報を再生する場合は、情報記録面２２ａにおける反射光束がコリメートレンズ３７ａにより受光素子３８ａに集光され、受光素子３８ａによって検出される。
【０１７２】
第２の情報記録媒体２０ｂが配置された場合も、第１の光源３１ａがオンされ、第１の光源３１ａから第２の情報記録媒体２０ｂの情報記録面２２ｂに対応した波長のレーザ光束が射出される。射出されたレーザ光束は、コリメートレンズ３２ａによって平行光束に変換される。その後、ビームスプリッタ３３ａを透過し、回折素子１１に入射する。レーザ光束は回折素子１１において０次回折光及び１次回折光を含む複数種類の回折光に分離される。そのうち１次回折光が立ち上げミラー３４ａによって対物レンズ１２ｃに導かれ、アクチュエータ３５及び制御部３６によって好適な位置まで駆動された対物レンズ１２ｃによって第２の情報記録媒体２０ｂの情報記録面２２ｂに集光される。そして、情報記録面２２ａにおける反射光束がコリメートレンズ３７ａにより受光素子３８ａに集光され、受光素子３８ａによって検出される。
【０１７３】
一方、第３の情報記録媒体２０ｃが配置された場合は、第２の光源３１ｂがオンされ、第２の光源３１ｂから第３の情報記録媒体２０ｃの情報記録面２２ｃに対応した波長のレーザ光束が射出される。第２の光源３１ｂから射出されたレーザ光束はコリメートレンズ３７ｂによって平行光束に変換される。その後、レーザ光束は、ビームスプリッタ３３ｃを透過し、立ち上げミラー３４ｂによって対物レンズ１２ｄに導かれ、対物レンズ１２ｄによって情報記録面２２ｃに集光される。そして、情報記録面２２ｃにおける反射光束がコリメートレンズ３７ｂにより受光素子３８ｂに集光され、受光素子３８ｂによって検出される。
【０１７４】
本実施形態３においても、回折素子１１における第１の光源３１ａからのレーザ光束から分離された０次回折光の回折効率が比較的高く設定されており、且つ０次迷光比が比較的低く設定されている。このため、上記実施形態１、２と同様に、好適に第１の情報記録媒体２０ａへの情報の記録／再生が可能となる。また、１次回折光もある程度回折効率が高く設定されており、且つ１次迷光比も比較的小さく設定されている。従って、第２の情報記録媒体２０ｂを好適に再生することができる。
【０１７５】
さらに、本実施形態３では、第３の情報記録媒体２０ｃの情報記録面２２ｃに第２の光源３１ｂからのレーザ光束を集光するための専用の対物レンズ１２ｄが設けられている。従って、第３の情報記録媒体２０ｃの情報記録面２２ｃへの集光をより好適に行うことが可能となる。
【０１７６】
また、本実施形態３では、対物レンズ１２ｃは第１の光源３１ａからのレーザ光束とは波長の異なる第２の光源３１ｂからのレーザ光束を集光せず、第１の光源３１ａからのレーザ光束を第１及び第２の情報記録媒体２０の情報記録面２２に集光するための専用設計とすることができ、対物レンズ１２ｃの設計自由度が広くなる。
【０１７７】
また、本実施形態３の構成によれば、第２の光源３１ｂからのレーザ光束は回折素子１１を経由せず情報記録面２２ｃに集光される。従って、レーザ光束の集光効率をより高くすることができる。
【０１７８】
尚、図１２では、回折素子１１は、ビームスプリッタ３３ａと立ち上げ反射面３４ａとの間に配置されているが、立ち上げ反射面３４ａと対物レンズ１２ｃとの間に配置してもよい。さらに。回折素子１１を対物レンズ１２ｃと共にレンズフォルダ１３に固定してもよい。
【０１７９】
以上説明した実施形態３の構成によっても上記実施形態２と同様に、例えば、ＢＤの記録／再生、ＨＤ−ＤＶＤの再生、ＤＶＤ又はＣＤの記録／再生又は再生のみが可能となる。
【０１８０】
（実施形態４）
図１３は本実施形態４に係る光ピックアップ装置２の主要部の構成を表す図である。
【０１８１】
上記実施形態２、３では、第１の光源３１ａからのレーザ光束に対応した情報記録面２２を有する第１及び第２の情報記録媒体２０と、第２の光源３１ｂからのレーザ光束に対応した情報記録面２２を有する第３の情報記録媒体２０との記録／再生が可能な光ピックアップ装置の例について説明した。しかしながら、本発明はこれら構成に限定されるものではなく、上記第１〜第３の情報記録媒体２０に加えて、第１の光源３１ａからのレーザ光束の波長及び第２の光源３１ｂからのレーザ光束の波長の両方と異なる波長のレーザ光束に対応した情報記録面２２を有する第４の情報記録媒体２０ｄへの情報の記録／再生が可能なものであってもよい。
【０１８２】
本実施形態４では、上記第１乃至第３の情報記録媒体２０の記録／再生に加えて、上記第１乃至第３の情報記録媒体２０とは対応するレーザ光束の波長及び／又は保護層２１の層厚が相互に異なる第４の情報記録媒体２０ｄの記録／再生が可能な光ピックアップ装置４について説明する。尚、本実施形態４の説明において実質的に同じ機能を有する構成要素を実施形態１〜３と共通の参照符号で説明し、説明を省略する。
【０１８３】
本実施形態４に係る光ピックアップ装置４は、第１及び第２の情報記録媒体２０ａ、３０ｂに対応する波長のレーザ光束を射出する第１の光源３１ａと、第３の情報記録媒体２０ｃに対応する波長のレーザ光束を射出する第２の光源３１ｂと、第４の情報記録媒体２０ｄに対応する波長のレーザ光束を射出する第３の光源３１ｃとを備えている。
【０１８４】
光ピックアップ装置４に対して第１の情報記録媒体２０ａが配置された場合、第１の光源３１ａがオンされ、その他の第２の光源３１ｂ及び３１ｃはオフされる。第１の光源３１ａから射出されたレーザ光束はコリメートレンズ３２ａによって平行光束に変換される。その後、ビームスプリッタ３３ａ及びダイクロイックプリズム３３ｂを透過し、回折素子１１に入射する。
【０１８５】
回折素子１１は、実施形態１において説明したように、第１の光源３１ａからのレーザ光束を０次回折光及び１次回折光に分離するものである。その分離された回折光のうち０次回折光が立ち上げミラー３４により反射される。
【０１８６】
立ち上げ反射面３４ａにより反射された光束の先には、レンズフォルダ１３に固定された対物レンズ１２ｃ及び１２ｄが配置されている。また、レンズフォルダ１３にはアクチュエータ３５及びそれを制御する制御部３６が接続されており、アクチュエータ３５及び制御部３６により、対物レンズ１２ｃ及び１２ｄの一方を光路中に挿入可能であると共に、対物レンズ１２ｃおよび１２ｄがフォーカス方向及び／又はトラッキング方向に変位可能に構成されている。
【０１８７】
光ピックアップ装置４に第１の情報記録媒体２０ａが配置された場合は、アクチュエータ３５及び制御部３６により対物レンズ１２ｃが光路中に配置される。ここで、この対物レンズ１２ｃは、その基準位置において上記０次回折光を第１の情報記録媒体２０ａの情報記録面２２ａ上に好適に集光可能なように構成されている。このため、立ち上げ反射面３４ａにより対物レンズ１２ｃに導かれた０次回折光は対物レンズ１２ｃにより情報記録面２２ａ上に集光される。そして、第１の情報記録媒体２０ａに記録された情報を再生する場合には、情報記録面２２ａにおける反射光束が、再び、対物レンズ１２ｃ、回折素子１１、ダイクロイックプリズム３３ｂを透過して、ビームスプリッタ３３ｃ内の反射面にて反射された後にコリメートレンズ３７ａによって受光素子３８ａに集光される。そして、反射光束が受光素子３８ａによって検出されるようになっている。
【０１８８】
光ピックアップ装置４に第２の情報記録媒体２０ｂが配置された場合も、第１の情報記録媒体２０ａが配置された場合と同様に、第１の光源３１ａのみがオンされ、第１の光源３１ａから射出された光が回折素子１１に入射する。また、第２の情報記録媒体２０ｂが配置された場合もアクチュエータ３５及び制御部３６により対物レンズ１２ｃが光路中に配置される。そして、第１の光源３１ａから射出されたレーザ光束から回折素子１１により分離された１次回折光が対物レンズ１２ｃによって第２の情報記録媒体２０ｂの情報記録面２２ｂ上に好適に集光されるように、アクチュエータ３５及び制御部３６により対物レンズ１２ｃの位置が調節される。このようにして、１次回折光が第２の情報記録媒体２０ｂの情報記録面２２ｂに集光される。そして、情報記録面２２ｂにおける反射光束が、再び、対物レンズ１２ｃ、回折素子１１、ダイクロイックプリズム３３ｂを透過して、ビームスプリッタ３３ｃ内の反射面にて反射された後にコリメートレンズ３７ａによって受光素子３８ａに集光され、受光素子３８ａによって検出されるようになっている。
【０１８９】
ここで、上記実施形態１で説明したように、０次回折光の回折効率が比較的高く設定されており、且つ０次迷光比が比較的低く設定されている。このため、本実施形態４においても上記実施形態１と同様に、好適に第１の情報記録媒体２０ａへの情報の記録／再生が可能となる。また、１次回折光もある程度回折効率が高く設定されており、且つ１次迷光比も比較的小さく設定されている。従って、第２の情報記録媒体２０ｂを好適に再生することができる。
【０１９０】
次に、光ピックアップ装置４に第３の情報記録媒体２０ｃが配置された場合について説明する。この場合は、第１の光源３１ａ及び３１ｃがオフされ、第２の光源３１ｂからレーザ光束が射出される。第２の光源３１ｂから射出されたレーザ光束はコリメートレンズ３２ｂによって平行光束に変換される。その後、ビームスプリッタ３３ｃ内に設けられた反射面により反射され、さらにダイクロイックプリズム３３ｂ内に設けられた反射面により反射されて回折素子１１に入射し、回折素子１１によって回折される。ここで、回折素子１１は、その位相変調されたレーザ光束を実質的に０次回折するように構成されている。このため、回折素子１１からは実質的に０次回折光のみが出射する。
【０１９１】
第３の情報記録媒体２０ｃが配置された場合、アクチュエータ３５及び制御部３６は、第３及び第４の情報記録媒体２０用の対物レンズ１２ｄを光路中に配置すると共に、その対物レンズ１２ｄによって０次回折光が第３の情報記録媒体２０ｃの情報記録面２２ｃ上に集光されるように対物レンズ１２ｄの位置をフォーカス方向に調整する。従って、０次回折光は対物レンズ１２ｄによって第３の情報記録媒体２０ｃの情報記録面２２ｃ上に好適に集光される。そして、情報記録面２２における反射光束が受光素子３８ｃによって検出されるようになっている。
【０１９２】
このように、対物レンズ１２を複数設けることによって、各対物レンズ１２の設計自由度が向上すると共に、各情報記録媒体２０の情報記録面２２上における収差のより効果的な低減が可能となる。
【０１９３】
尚、第３の情報記録媒体２０ｃの好適な記録／再生を可能にする観点から、回折素子１１は下記条件式（７）さらには（７−ａ）を満たすものであることが好ましい。また、条件式（７）とは独立して、又は条件式（７）と同時に条件式（８）を満たすものとすることが好ましい。この構成によれば、情報記録面２２ｃ上への集光効率を高くすることができる。従って、高いＳ／Ｎ比を実現することができる。
【０１９４】
γ１＞８５％      ・・・・・（７）
γ１＞９０％      ・・・・・（７−ａ）
但し、
γ１：回折面１５において情報記録面２２ｃに対応したレーザ光束から分離された０次回折光の回折効率、
である。
【０１９５】
γ１＞η０      ・・・・・（８）
但し、
γ１：回折面１５において情報記録面２２ｃに対応したレーザ光束から分離された０次回折光の回折効率、
η０：回折面１５において情報記録面２２ａ、２２ｂに対応したレーザ光束から分離された０次回折光の回折効率、
である。
【０１９６】
次に、光ピックアップ装置４に第４の情報記録媒体２０ｄが配置された場合について説明する。この場合は、第１の光源３１ａ及び３１ｂがオフされ、第３の光源３１ｃからレーザ光束が射出される。
【０１９７】
第３の光源３１ｃから射出されたレーザ光束はコリメートレンズ３２ｃによって平行光束に変換される。その後、ビームスプリッタ３３ｄ内に設けられた反射面により反射された後にビームスプリッタ３３ｃを経て、ダイクロイックプリズム３３ｂ内に設けられた反射面により反射されて回折素子１１に入射する。そして、回折素子１１によって回折される。ここで、回折素子１１は、第３の光源３１ｃから射出されたレーザ光束を実質的に０次回折するように構成されている。このため、回折素子１１からは実質的に０次回折光のみが出射する。
【０１９８】
第４の情報記録媒体２０ｄが配置された場合、アクチュエータ３５及び制御部３６は、第３及び第４の情報記録媒体２０用の対物レンズ１２ｄを光路中に配置すると共に、その対物レンズ１２ｄによって０次回折光が第４の情報記録媒体２０ｄの情報記録面２２ｄ上に集光されるように対物レンズ１２ｄの位置をフォーカス方向に調整する。従って、０次回折光は対物レンズ１２ｄによって第４の情報記録媒体２０ｄの情報記録面２２ｄ上に好適に集光される。そして、情報記録面２２における反射光束が受光素子３８ｃによって検出されるようになっている。
【０１９９】
尚、第３の情報記録媒体２０ｃの好適な記録／再生を可能にする観点から、回折素子１１は下記条件式（７−ｂ）さらには（７−ｃ）を満たすものであることが好ましい。また、条件式（７−ｂ）とは独立して、又は条件式（７−ｂ）と同時に条件式（８−ａ）を満たすものとすることが好ましい。この構成によれば、情報記録面２２ｃ上への集光効率を高くすることができる。従って、高いＳ／Ｎ比を実現することができる。
【０２００】
γ２＞８５％      ・・・・・（７−ｂ）
γ２＞９０％      ・・・・・（７−ｃ）
但し、
γ２：回折面１５において情報記録面２２ｄに対応したレーザ光束から分離された０次回折光の回折効率、
である。
【０２０１】
γ２＞η０      ・・・・・（８−ａ）
但し、
γ２：回折面１５において情報記録面２２ｄに対応したレーザ光束から分離された０次回折光の回折効率、
η０：回折面１５において情報記録面２２ａ、２２ｂに対応したレーザ光束から分離された０次回折光の回折効率、
である。
【０２０２】
尚、本実施形態４では、回折素子１１を立ち上げミラー３４よりも光源よりに配置する構成としているが、回折素子１１を立ち上げミラー３４と対物レンズ１２ｃとの間に配置してもよい。また、その場合に、回折素子１１を対物レンズ１２ｃに対向するようにレンズフォルダ１３に固定してもよい。そうすることによって、回折素子１１と対物レンズ１２ｃとの軸ずれを抑制することができる。さらに、対物レンズ１２ｄを光路中に配置する場合は、回折素子１１が光路中にない状態となり、第３及び第４の情報記録媒体２０が配置された場合の光の利用効率をより高めることができる。
【０２０３】
尚、各光源から射出されるレーザ光束の波長の相互関係は特に限定されるものではない。例えば、下記条件式（２１）を満たすようにしてもよい。
【０２０４】
λ１＜λ２＜λ３      ・・・・・（２１）
但し、
λ１：第１の光源３１ａから射出されるレーザ光束の波長、
λ２：第２の光源３１ｂから射出されるレーザ光束の波長、
λ３：第３の光源３１ｃから射出されるレーザ光束の波長、
また、各情報記録媒体２０の保護層２１の厚みも特に限定されるものではなく、例えば、下記条件式（２２）を満たすように設定してもよい。
【０２０５】
ｔ１＜ｔ２＝ｔ３＜ｔ４      ・・・・・（２２）
但し、
ｔ１：第１の情報記録媒体２０ａの保護層２１ａの厚み、
ｔ２：第２の情報記録媒体２０ｂの保護層２１ｂの厚み、
ｔ３：第３の情報記録媒体２０ｃの保護層２１ｃの厚み、
ｔ４：第４の情報記録媒体２０ｄの保護層２１ｄの厚み、
である。
【０２０６】
また、上記実施形態において情報記録面２２に集光する対物光学系の開口数は特に限定されるものではないが、例えば、下記の関係を満たすように構成してもよい。
【０２０７】
ＮＡ４＜ＮＡ３≦ＮＡ２＜ＮＡ１
但し、
ＮＡ１：第１の情報記録媒体２０ａの情報記録面２２ａに集光するときの対物光学系の開口数、
ＮＡ２：第２の情報記録媒体２０ｂの情報記録面２２ｂに集光するときの対物光学系の開口数、
ＮＡ３：第１の情報記録媒体２０ｃの情報記録面２２ｃに集光するときの対物光学系の開口数、
ＮＡ４：第１の情報記録媒体２０ｄの情報記録面２２ｄに集光するときの対物光学系の開口数、
である。
【０２０８】
以上説明した実施形態４の構成によれば、例えば、ＢＤの記録／再生、ＨＤ−ＤＶＤの再生、ＤＶＤの記録／再生又は再生のみ、さらにはＣＤの記録／再生又は再生のみが可能となる。
【産業上の利用可能性】
【０２０９】
本発明に係る対物光学系は、使用するレーザ光束の波長が実質的に同じである複数種類の情報記録媒体のそれぞれの好適な再生が可能であると共に、それらのうちの少なくともひとつに対して好適に情報の記録が可能な光ピックアップ装置、例えば、パーソナルコンピュータ用等の光ディスク再生装置、光ディスク記録／再生装置等に有用である。さらに具体的には、例えば、ＢＤの記録／再生が可能であると共に、ＨＤ−ＤＶＤの再生が可能な光ディスク記録／再生装置等に有用である。
【図面の簡単な説明】
【０２１０】
【図１】実施形態１に係る光ピックアップ装置１の要部の構成を表す図である。
【図２】対物光学系１０近傍の構成を表す拡大図である。
【図３】回折素子１１の部分断面図である。
【図４】回折素子１１の一部を拡大した断面図である。
【図５】好ましい回折効率を実現するためのｘとｙとの取りうる範囲を表すグラフである。
【図６】好ましい迷光比を実現するためのｘとｙとの取りうる範囲を表すグラフである。
【図７】より好ましい回折効率を実現すると共に、より好ましい迷光比を実現するためのｘとｙとの取りうる範囲を表すグラフである。
【図８】変形例１における対物レンズ１２ａの側面図である。
【図９】変形例２に係る対物レンズ１２ｂの断面図である。
【図１０】変形例３における対物レンズ１２ｃの断面図である。
【図１１】実施形態２に係る光ピックアップ装置２の主要部の構成を表す図である。
【図１２】実施形態３に係る光ピックアップ装置２の主要部の構成を表す図である。
【図１３】実施形態４に係る光ピックアップ装置２の主要部の構成を表す図である。
【符号の説明】
【０２１１】
１、２、３、４      光ピックアップ装置
１０      対物光学系
１１      回折素子
１２      対物レンズ
１３      レンズフォルダ
１５、１８      回折面
２０      情報記録媒体
２１      保護層
２２      情報記録面
３１      光源
３７ａ    検出光学系
３８      受光素子
４０      位相段差素子
【図１】
2008004241.tif 000021
【図２】
2008004241.tif 000022
【図３】
2008004241.tif 000023
【図４】
2008004241.tif 000024
【図５】
2008004241.tif 000025
【図６】
2008004241.tif 000026
【図７】
2008004241.tif 000027
【図８】
2008004241.tif 000028
【図９】
2008004241.tif 000029
【図１０】
2008004241.tif 000030
【図１１】
2008004241.tif 000031
【図１２】
2008004241.tif 000032
【図１３】
2008004241.tif 000033